(57)【要約】【課題】ハードディスクレコーダにおいて、タイムシフトバッファ領域にタイムシフト再生のためのＡＶ信号を繰り返し記録・再生しても、ハードディスク内の同一ブロックばかりが酷使されることがないようにして、経時的な磁気劣化による記録・再生ミスを防止する。【解決手段】タイムシフトバッファ領域７１の終端ブロックまでＡＶ信号を記録したとき、タイムシフトバッファ領域７１に１ブロックの空き領域７３を追加してＡＶ信号を引き続いて記録する。ＡＶ信号の記録が終了したとき、タイムシフトバッファ領域７１の先頭から１ブロックの領域７４に記録されているＡＶ信号を削除する。これにより、タイムシフトバッファ領域７１が１ブロック移動される。このようにして、タイムシフトバッファ領域７１を随時移動させながらＡＶ信号の記録を行い、ハードディスクの磁気劣化を防止する。【選択図】      図２
2004213831.tif 000002
【特許請求の範囲】
【請求項１】
放送局から放送された映像／音声信号（ＡＶ信号）を受信する受信手段と、この受信手段が受信したＡＶ信号、又は外部から入力されたＡＶ信号を圧縮符号化する信号符号手段と、ハードディスク内に作成した録画ファイルに前記信号符号手段が圧縮符号化したＡＶ信号を記録するハードディスク装置とを備え、
前記ハードディスクは、タイムシフト再生のためのＡＶ信号を一時的に記録するタイムシフトバッファ領域を有するハードディスクレコーダにおいて、
前記タイムシフトバッファ領域に前記信号符号手段が圧縮符号化したＡＶ信号を記録するバッファ領域記録手段と、
このバッファ領域記録手段が前記タイムシフトバッファ領域の終端ブロックまでＡＶ信号を記録したかを確認する終端確認手段と、
前記バッファ領域記録手段が前記タイムシフトバッファ領域の終端ブロックまでＡＶ信号を記録したとき、ハードディスク内に所定ブロックの空き領域が存在するかを確認する空き領域確認手段と、
前記ハードディスク内に所定ブロックの空き領域が存在するとき、前記タイムシフトバッファ領域に該所定ブロックの空き領域を追加して、この追加した領域にＡＶ信号を引き続いて記録し、このＡＶ信号の記録が終了したとき、前記タイムシフトバッファ領域の先頭から所定ブロックに記録されているＡＶ信号を削除して、該タイムシフトバッファ領域を移動するバッファ領域移動手段とをさらに有し、
前記タイムシフトバッファ領域を前記ハードディスクの空き領域内で移動させながら、この移動させたタイムシフトバッファ領域にタイムシフト再生のためのＡＶ信号を記録することを特徴とするハードディスクレコーダ。
【請求項２】
放送局から放送された映像／音声信号（ＡＶ信号）を受信する受信手段と、この受信手段が受信したＡＶ信号、又は外部から入力されたＡＶ信号を圧縮符号化する信号符号手段と、ハードディスク内に作成した録画ファイルに前記信号符号手段が圧縮符号化したＡＶ信号を記録するハードディスク装置とを備え、
前記ハードディスクは、タイムシフト再生のためのＡＶ信号を一時的に記録するタイムシフトバッファ領域を有するハードディスクレコーダにおいて、
前記タイムシフトバッファ領域に前記信号符号手段が圧縮符号化したＡＶ信号を記録するバッファ領域記録手段と、
このバッファ領域記録手段が前記タイムシフトバッファ領域の終端ブロックまでＡＶ信号を記録したかを確認する終端確認手段と、
前記バッファ領域記録手段が前記タイムシフトバッファ領域の終端ブロックまでＡＶ信号を記録したとき、ハードディスク内に所定ブロックの空き領域が存在するかを確認する空き領域確認手段と、
前記ハードディスク内に所定ブロックの空き領域が存在するとき、前記タイムシフトバッファ領域を前記ハードディスクの空き領域に移動させるバッファ領域移動手段とをさらに有し、
前記バッファ領域移動手段によって移動されたタイムシフトバッファ領域にタイムシフト再生のためのＡＶ信号を記録することを特徴とするハードディスクレコーダ。
【請求項３】
前記バッファ領域移動手段は、前記タイムシフトバッファ領域に該所定ブロックの空き領域を追加して、この追加した領域にＡＶ信号を引き続いて記録し、このＡＶ信号の記録が終了したとき、前記タイムシフトバッファ領域の先頭から所定のブロックに記録されているＡＶ信号を削除して該タイムシフトバッファ領域を移動させ、
バッファ領域記録手段は、前記バッファ領域移動手段によって移動されたタイムシフトバッファ領域の先頭ブロックよりＡＶ信号の記録を継続することを特徴とする請求項２に記載のハードディスクレコーダ。
【請求項４】
前記タイムシフトバッファ領域の容量及びこのタイムシフトバッファ領域に追加される空きブロック領域の容量は、相互に関連しつつ可変とされ、該タイムシフトバッファ領域の容量が小さく設定されているときは、前記所定のブロック領域の容量は大きく設定されることを特徴とする請求項３に記載のハードディスクレコーダ。
【発明の詳細な説明】
【０００１】
【発明の属する技術分野】
本発明は、映像／音声信号を記録・再生するハードディスクレコーダに関するものである。
【０００２】
【従来の技術】
従来から、映像／音声信号（ＡＶ信号）を記録するにあたっては、ＤＶＤ（Ｄｉｇｉｔａｌ  Ｖｅｒｓａｔｉｌｅ  Ｄｉｓｋ）に代表されるような、大容量のデジタル信号の記録に適した光ディスクが利用されている。また、最近では、ＡＶ信号をハードディスクに記録するハードディスクレコーダが登場し、デジタル放送の配信開始と相まって、急速に普及しつつある。このようなハードディスクレコーダにあって、テレビジョン番組を録画しながら数分前に録画した番組を再生するタイムシフト再生（追いかけ再生）機能を備え、使い勝手の向上を図ったものが知られている（例えば、特許文献１及び特許文献２参照）。タイムシフト再生は、ＡＶ信号をタイムシフトバッファ領域に一時的に記録し、この記録されたＡＶ信号を再生することによりなされる。
【０００３】
タイムシフトバッファ領域は、ハードディスク内に、通常の録画領域とは別個に所定の容量だけ設けられている。タイムシフトのためのＡＶ信号は、該タイムシフトバッファ領域の先頭ブロックから順次記録され、終端ブロックまで記録されると先頭ブロックに戻って上書きされ、更新される。従って、タイムシフト再生における再生遅延が可能な時間は、タイムシフトバッファ領域の容量に依存することとなる。
【０００４】
【特許文献１】
特開２００１−３２０６５７号公報
【特許文献２】
特表２００１−５２７３４６号公報
【０００５】
【発明が解決しようとする課題】
しかしながら、上記特許文献のハードディスクレコーダにおいても、タイムシフトバッファ領域にＡＶ信号が繰り返し記録・再生されることになるため、ハードディスク内の同一ブロックばかりが酷使され経時的に磁気劣化し、記録・再生ミスを起こす可能性がある。
【０００６】
本発明は、上述した問題点を解決するためになされたものであり、タイムシフトバッファ領域をハードディスクの空き領域内で随時移動させ、同バッファ領域にタイムシフト再生のためのＡＶ信号を繰り返して記録・再生しても、ハードディスク内の同一ブロックばかりが酷使されることがないようにして、経時的な磁気劣化による記録・再生ミスを防止したハードディスクレコーダを提供することを目的とする。
【０００７】
【課題を解決するための手段】
上記目的を達成するために請求項１の発明は、放送局から放送された映像／音声信号（ＡＶ信号）を受信する受信手段と、この受信手段が受信したＡＶ信号、又は外部から入力されたＡＶ信号を圧縮符号化する信号符号手段と、ハードディスク内に作成した録画ファイルに信号符号手段が圧縮符号化したＡＶ信号を記録するハードディスク装置とを備え、ハードディスクは、タイムシフト再生のためのＡＶ信号を一時的に記録するタイムシフトバッファ領域を有するハードディスクレコーダにおいて、タイムシフトバッファ領域に信号符号手段が圧縮符号化したＡＶ信号を記録するバッファ領域記録手段と、このバッファ領域記録手段がタイムシフトバッファ領域の終端ブロックまでＡＶ信号を記録したかを確認する終端確認手段と、バッファ領域記録手段がタイムシフトバッファ領域の終端ブロックまでＡＶ信号を記録したとき、ハードディスク内に所定ブロックの空き領域が存在するかを確認する空き領域確認手段と、ハードディスク内に所定ブロックの空き領域が存在するとき、タイムシフトバッファ領域に該所定ブロックの空き領域を追加して、この追加した領域にＡＶ信号を引き続いて記録し、このＡＶ信号の記録が終了したとき、タイムシフトバッファ領域の先頭から所定ブロックに記録されているＡＶ信号を削除して、該タイムシフトバッファ領域を移動するバッファ領域移動手段とをさらに有し、タイムシフトバッファ領域をハードディスクの空き領域内で移動させながら、この移動させたタイムシフトバッファ領域にタイムシフト再生のためのＡＶ信号を記録するものである。
【０００８】
この構成においては、タイムシフト再生のためのＡＶ信号は、タイムシフトバッファ領域に記録され、該バッファ領域の終端ブロックまで記録されると、追加された所定ブロックの空き領域に引き続き記録される。この追加された領域へのＡＶ信号の記録が終了したとき、タイムシフトバッファ領域の先頭から所定ブロックに記録されているＡＶ信号は削除される。このタイムシフトバッファ領域の追加、追加された領域へのＡＶ信号の記録及び先頭ブロックに記録されたＡＶ信号の削除を繰り返すことにより、タイムシフトバッファ領域が所定のブロック単位で移動されると共に、この移動されたタイムシフトバッファ領域にＡＶ信号が順次記録される。このタイムシフトバッファ領域の移動は、ハードディスク内に所定ブロックの空き領域が存在するときのみ行われ、空き領域が存在しないときは、バッファ領域の移動は行わない。従って、通常の再生用に記録されたＡＶ信号が誤って消去される虞もない。
【０００９】
請求項２の発明は、放送局から放送された映像／音声信号（ＡＶ信号）を受信する受信手段と、この受信手段が受信したＡＶ信号、又は外部から入力されたＡＶ信号を圧縮符号化する信号符号手段と、ハードディスク内に作成した録画ファイルに信号符号手段が圧縮符号化したＡＶ信号を記録するハードディスク装置とを備え、ハードディスクは、タイムシフト再生のためのＡＶ信号を一時的に記録するタイムシフトバッファ領域を有するハードディスクレコーダにおいて、タイムシフトバッファ領域に信号符号手段が圧縮符号化したＡＶ信号を記録するバッファ領域記録手段と、このバッファ領域記録手段がタイムシフトバッファ領域の終端ブロックまでＡＶ信号を記録したかを確認する終端確認手段と、バッファ領域記録手段がタイムシフトバッファ領域の終端ブロックまでＡＶ信号を記録したとき、ハードディスク内に所定ブロックの空き領域が存在するかを確認する空き領域確認手段と、ハードディスク内に所定ブロックの空き領域が存在するとき、タイムシフトバッファ領域をハードディスクの空き領域に移動させるバッファ領域移動手段とをさらに有し、バッファ領域移動手段によって移動されたタイムシフトバッファ領域にタイムシフト再生のためのＡＶ信号を記録するものである。
【００１０】
この構成においては、タイムシフト再生のためのＡＶ信号は、タイムシフトバッファ領域に記録され、該領域の終端ブロックまで記録されると、移動されたタイムシフトバッファ領域に引き続き記録される。このタイムシフトバッファ領域の移動は、ハードディスク内に所定ブロックの空き領域が存在するときのみ行われ、空き領域が存在しないときは、バッファ領域の移動は行わない。従って、通常の再生用に記録されたＡＶ信号が誤って消去される虞もない。
【００１１】
請求項３の発明は、請求項２に記載のハードディスクレコーダにおいて、バッファ領域移動手段は、タイムシフトバッファ領域に該所定ブロックの空き領域を追加して、この追加した領域にＡＶ信号を引き続いて記録し、このＡＶ信号の記録が終了したとき、タイムシフトバッファ領域の先頭から所定のブロックに記録されているＡＶ信号を削除して該タイムシフトバッファ領域を移動させ、バッファ領域記録手段は、バッファ領域移動手段によって移動されたタイムシフトバッファ領域の先頭ブロックよりＡＶ信号の記録を継続するものである。
【００１２】
この構成においては、タイムシフト再生のためのＡＶ信号は、タイムシフトバッファ領域の終端ブロックまで記録されると、追加された所定ブロックの空き領域に引き続き記録され、追加された領域へのＡＶ信号の記録が終了したとき、タイムシフトバッファ領域の先頭から所定ブロックに記録されているＡＶ信号は削除され、タイムシフトバッファ領域は所定ブロックだけ移動される。その後、ＡＶ信号は、移動されたタイムシフトバッファ領域の先頭ブロックより引き続いて記録（上書き）される。
【００１３】
請求項４の発明は、請求項３に記載のハードディスクレコーダにおいて、タイムシフトバッファ領域の容量及びこのタイムシフトバッファ領域に追加される空きブロック領域の容量は、相互に関連しつつ可変とされ、該タイムシフトバッファ領域の容量が小さく設定されているときは、所定のブロック領域の容量は大きく設定されるものである。
【００１４】
この構成においては、ハードディスク内の総空き容量に応じて、タイムシフトバッファ領域の容量を変更することができる。ここで、タイムシフトバッファ領域の容量が小さく設定されているときは、所定のブロック領域の容量は大きく設定して、タイムシフトバッファ領域の移動量を大きくする。これにより、同一ブロックへのＡＶ信号の上書き回数を減少させることができる。
【００１５】
【発明の実施の形態】
（実施形態１）
本発明の一実施形態によるハードディスクレコーダについて図面を参照して説明する。図１はハードディスクレコーダのブロック構成を示している。ハードディスクレコーダ１は、ＡＶ信号を入出力するＡＶブロック２と、ＡＶ信号をハードディスク３１に記録するハードディスク装置３と、ＤＶＤに記録されたＡＶ信号を再生するＤＶＤ再生装置４と、ハードディスクレコーダ１のフロントパネルに装着され、ユーザが操作を行うときのインタフェースとして機能するフロントパネルブロック５と、ＡＶ信号を符号・復号すると共に、ハードディスクレコーダ１の各ブロックを制御するメインブロック６と、各ブロックに電源を供給する電源装置７等によって構成されており、放送局から放送されたＡＶ信号等をハードディスク３１に録画して再生するＡＶ機器である。
【００１６】
ＡＶブロック２は、テレビジョン放送を受信するＴＶチューナ（受信手段）２１と、ＡＶ信号をＡ／Ｄ変換又はＤ／Ａ変換する信号処理部（信号変換手段）２２と、ＡＶブロックの制御を司るマイコン２３と、ＡＶ出力端子２４、ＡＶ入力端子（外部入力端子）２５、デジタル音声出力端子２６及びＡＶ入出力端子２７等によって構成される。ＴＶチューナ２１は、アンテナ２８が接続されるＲＦ入力端子２１ａを備え、放送局から放送されたＡＶ信号及び番組選択のためのＶＰＳ信号、ＰＤＣ信号を受信する。信号処理部２２は、ＡＶ入出力端子２７から入力されたデジタルのＡＶ信号をアナログに変換してＡＶ出力端子２４を介してモニタ装置８に出力すると共に、ハードディスクレコーダ１の外部からＡＶ入力端子２５を介して入力されたアナログのＡＶ信号をデジタルに変換してＡＶ入出力端子２７に出力する。マイコン２３は、フロントパネルＣＰＵ５４及びメインＣＰＵ６３と随時通信を行いながらＡＶブロック２を制御する。
【００１７】
ハードディスク装置３は、４０ＧＢ／プラッタのハードディスク３１を内蔵し、メインブロック６内で圧縮符号化されたＡＶ信号をハードディスク３１に記録する。ハードディスク装置３のインターフェースはＡＴＡ／ＩＤＥ規格に準拠され、ハードディスク装置３とメインブロック６とは、ＡＴＡ／ＩＤＥコネクタ３２，６６を介して接続されている。
【００１８】
フロントパネルブロック５は、リモコン装置（リモートコントローラ）９から送信された赤外線信号を受光する赤外線受光器５１と、ユーザが操作指令を直接入力するための操作キー５２と、ハードディスクレコーダ１の動作状態を表示するＶＦＤ（Ｖａｃｕｕｍ  Ｆｌｕｏｒｅｓｃｅｎｔ  Ｄｉｓｐｌａｙ）５３と、フロントパネルブロック５の制御を司るフロントパネルＣＰＵ５４等によって構成され、ハードディスクレコーダ１とユーザとのインターフェースとして機能する。すなわち、ユーザは、ＶＦＤ５３の表示を確認しながらリモコン装置９又は操作キー５２を操作することによって、タイムシフト再生の指令をハードディスクレコーダ１に入力することができる。
【００１９】
メインブロック６は、ＡＶ信号をＭＰＥＧ２（Ｍｏｖｉｎｇ  Ｐｉｃｔｕｒｅ  Ｅｘｐｅｒｔｓ  ＧｒｏｕｐＰｈａｓｅ  ２）規格に準拠して圧縮符号化又は伸張復号化するＣＯＤＥＣ（信号符号手段）６１と、ＣＯＤＥＣ６１が圧縮符号化又は伸張復号化するＡＶ信号を一時的に記憶するメモリ（ＳＤＲＡＭ）６２と、ハードディスクレコーダ１の制御を司るメインＣＰＵ（バッファ領域記録手段、終端確認手段、空き領域確認手段、バッファ領域移動手段）６３と、メインＣＰＵ６３の動作プログラムが格納されたフラッシュメモリ６４と、ハードディスク３１に記録する録画ファイルのＡＶ信号を一時的に記憶するメモリ（ＳＤＲＡＭ）６５と、ＡＴＡ／ＩＤＥコネクタ６６と、ＡＶ入出力端子６７と、サービス用ポート６８等によって構成されている。メモリ６２及びメモリ６５は、記憶領域を分割して使用する単一のメモリによって構成されていてもよい。メインＣＰＵ６３は、所定のＯＳ（例えば、ＶｘＷｏｒｋｓ）に基づいて動作し、ＣＯＤＥＣ６１を制御する他、ハードディスク装置３、ＡＶブロック２を制御するマイコン２３、及びフロントパネルブロック５３を制御するフロントパネルＣＰＵ５４と接続され、これらとの間で通信を行いながらハードディスクレコーダ１の各部を制御する。
【００２０】
上記のように構成されたハードディスクレコーダ１は、タイムシフト再生のためのＡＶ信号を記録するためのタイムシフトバッファ領域をハードディスク内で随時移動させ、同領域にＡＶ信号を繰り返し記録・再生しても、ハードディスク内の同一ブロックばかりが酷使されることがないようにする機能を有している。
【００２１】
図２は、ハードディスクレコーダ１のハードディスク３１内の記録領域を模式的に表した図であり、タイムシフトバッファ領域７１がＡＶ信号を記録しながら移動される様子が示されている。ここでは、タイムシフト再生が可能な最大シフト時間は３０分に、タイムシフトバッファ領域７１の移動量（１ブロック）は１分に設定されている。また、図中の矢印Ｂは、ＡＶ信号を記録中のブロック領域を示している。
【００２２】
タイムシフトバッファ領域７１は、当初、ハードディスク３１の記録領域の先頭部分に割当てられている。タイムシフト再生のための録画が開始されると、タイムシフトバッファ領域７１の先頭ブロックから終端ブロックまでＡＶ信号が順次記録される。ＡＶ信号がタイムシフトバッファ領域７１の終端ブロックまで記録され、録画時間が３０分を超えると、タイムシフトバッファ領域７１の終端に１ブロック（１分）の空き領域７３を追加して、この追加された領域７３にＡＶ信号を引き続き記録する。
【００２３】
追加された領域７３へのＡＶ信号の記録が終了すると、タイムシフトバッファ領域７１の先頭から１ブロックの領域７４に記録されたＡＶ信号を削除して、新たな空き領域７４として開放する。ここで、空き領域７４と空き領域７５との合計領域は、当初の空き領域７２と同等とされる。さらにタイムシフト再生のための録画を継続する場合は、上記と同様に、タイムシフトバッファ領域７１の終端に１ブロックの空き領域を追加して、この追加した領域にＡＶ信号を引き続き記録し、その後、タイムシフトバッファ領域７１の先頭の１ブロックに記録されたＡＶ信号を削除する。このようにして、タイムシフトバッファ領域７１が、ハードディスクの空き領域内７２を順次移動され、この移動されたバッファ領域にＡＶ信号が上書きされることなく記録される。
【００２４】
タイムシフト再生のための録画時におけるメインＣＰＵ６３の処理について、図３を参照して説明する。ユーザによるタイムシフト領域７１への録画開始指令の入力を受けると、タイムシフトバッファ領域７１にＡＶ信号を記録して録画を開始する（＃１）。その後、ユーザからタイムシフトバッファ領域７１への録画終了指令が入力されなければ（＃２においてＮＯ）、終端ブロック（バッファエンド）までＡＶ信号を記録したかを確認する（＃３）。終端ブロックまでＡＶ信号を記録していれば（＃３においてＹＥＳ）、移動のための空き領域容量（ここでは１ブロック）が存在するかを確認する（＃４）。空き領域容量が存在すれば（＃４においてＹＥＳ）、タイムシフトバッファ領域７１に１ブロックの空き領域を追加し（＃５）、追加したバッファ領域に録画を継続する（＃６）。追加した１ブロックの録画が終了すると（＃７）、先頭の１ブロックのＡＶ信号を削除して（＃８）、＃４に戻る。以後、＃４〜＃８で示されるループを繰り返して、タイムシフトバッファ領域７１を移動する。なお、＃４において移動可能な容量の空き領域が存在しなければ、バッファ先頭に戻って録画を継続する。この場合は、従来のハードディスクレコーダの動作と同等である。また、＃２において、ユーザからタイムシフト領域への録画終了指令が入力されれば（＃２においてＹＥＳ）、処理を終了する。
【００２５】
このように、本実施形態のハードディスクレコーダ１によれば、タイムシフトバッファ領域７１をハードディスク３１の空き領域７２内で移動させながら、この移動させた領域にタイムシフト再生のためのＡＶ信号を記録するので、ハードディスク３１内の同一ブロックばかりが酷使されることがなくなり、経時的な磁気劣化によるハードディスク３１の故障（記録・再生ミス）を防止することができるようになる。また、タイムシフトバッファ領域の移動は、追加した領域へのＡＶ信号の記録と、先頭の領域に記録されているＡＶ信号の削除によって成されるので、タイムシフトバッファ領域の移動とＡＶ信号の記録が速やかに行われ、コマ落ちのないスムーズな再生画像を得ることができるようになる。また、タイムシフトバッファ領域７１の移動は、ハードディスク３１内に所定ブロックの空き領域７３が存在するときのみ行われるので、通常の再生用に記録されたＡＶ信号が誤って消去される虞もない。
【００２６】
（実施形態２）
本発明の別の実施形態によるハードディスクレコーダについて図面を参照して説明する。本実施形態においても、図１に示したハードディスクレコーダ１と同等のブロック構成を有している。
【００２７】
図４は、本実施形態２によるハードディスクレコーダ１のハードディスク３１内の記録領域において、タイムシフトバッファ領域７１が移動される様子を模式的に示している。本実施形態においても、タイムシフトバッファ領域７１の終端に追加した空き領域７３にＡＶ信号を記録し、先頭の１ブロック領域７４のＡＶ信号を削除するまでのステップは、実施形態１と同様である。本実施形態においては、先頭の１ブロック領域７４が削除された後のタイムシフトバッファ領域７１の先頭ブロックに戻ってＡＶ信号を上書きする点で、実施形態１とは相違する。
【００２８】
図５は、タイムシフト再生のための録画時におけるメインＣＰＵ６３の処理を示している。本実施形態２では、＃８において先頭の１ブロック領域７４のＡＶ信号を削除した後、＃９に移行してタイムシフトバッファ領域７１の先頭ブロックからＡＶ信号の記録を継続する。
【００２９】
このように本実施形態２によれば、タイムシフトバッファ領域７１をハードディスク３１の空き領域７２内で移動させながら、この移動させた領域にタイムシフト再生のためのＡＶ信号を記録するので、実施形態１と同等の効果を得ることができる。
【００３０】
なお、本発明は上記実施形態の構成に限られることなく種々の変形が可能であり、例えば、＃５において追加する空き領域、及び、＃８において削除する領域は１ブロック単位に限られることなく、所定数のブロック単位であってもよい。
【００３１】
また、実施形態２のハードディスクレコーダ１において、タイムシフトバッファ領域７１の容量は、ハードディスク３１内の総空き容量に応じて変更できるようにしてもよい。このとき、タイムシフトバッファ領域７１の容量が小さく設定されているときは、追加するブロック領域７３及び削除するブロック領域７４の容量は大きく設定するのが望ましい。このようにすれば、タイムシフトバッファ領域７１の移動量が大きくなるので、同一ブロックへの上書き回数を減少させることができる。
【００３２】
また、ハードディスク３１に記録するＡＶ信号は、ＭＰＥＧ２規格に準拠して圧縮復号化された信号に限られることなく、ＭＰＥＧ４等の他の規格に準拠して圧縮復号化された信号であってもよい。また、優れた画質及び音質を記録・再生するために、非圧縮のデジタル信号を記録するようにしても構わない。この場合にあっては、ハードディスク３１の記録速度及び記録容量を確保するために、複数のハードディスク装置３によって分散処理を行うように構成することが望ましい。さらにまた、メインブロック６は、ＣＰＵ６３、ＣＯＤＥＣ６１、メモリ６２，６５を統合化した１チップのＬＳＩで構成されていてもよい。さらに、信号処理部がＡＶブロック２に含まれる形態に限られることなく、メインブロック６に含まれる形態であっても構わない。
【００３３】
【発明の効果】
以上のように請求項１の発明によれば、タイムシフトバッファ領域をハードディスクの空き領域内で移動させながら、この移動させた領域にタイムシフト再生のためのＡＶ信号を記録するので、ハードディスク内の同一ブロックばかりが酷使されることがなくなり、経時的な磁気劣化によるハードディスクの故障（記録・再生ミス）を防止することができるようになる。また、タイムシフトバッファ領域の移動は、ハードディスク内に所定ブロックの空き領域が存在するときのみ行われるので、通常再生用に記録されたＡＶ信号が誤って消去される虞もない。
【００３４】
請求項２の発明によれば、タイムシフトバッファ領域をハードディスクの空き領域内で移動させるので、ハードディスク内の同一ブロックばかりが酷使されることがなくなり、経時的な磁気劣化によるハードディスクの故障（記録・再生ミス）を防止することができるようになる。また、タイムシフトバッファ領域の移動は、ハードディスク内に所定ブロックの空き領域が存在するときのみ行われるので、通常再生用に記録されたＡＶ信号が誤って消去される虞もない。
【００３５】
請求項３の発明によれば、タイムシフトバッファ領域に所定の空き領域を追加してＡＶ信号を記録し、タイムシフトバッファ領域の先頭に記録されているＡＶ信号を削除することによりタイムシフトバッファ領域を移動させ、この移動させたタイムシフトバッファ領域の先頭ブロックよりＡＶ信号を上書きして記録するので、タイムシフトバッファ領域の移動とＡＶ信号の記録が速やかに行われ、コマ落ちのないスムーズな再生画像を得ることができるようになる。
【００３６】
請求項４の発明によれば、タイムシフトバッファ領域の容量が小さく設定されているときは、所定のブロック領域の容量を大きく設定するので、タイムシフトバッファ領域の移動量が大きくなり、同一ブロックへの上書き回数を減少させることができ、経時的な磁気劣化によるハードディスクの故障（記録・再生ミス）を防止することができるようになる。
【図面の簡単な説明】
【図１】本発明の一実施形態によるハードディスクレコーダの構成を示すブロック図。
【図２】同レコーダのハードディスク内の記録領域を示す図。
【図３】同レコーダのＣＰＵによるタイムシフト再生のための録画処理を示すフローチャート。
【図４】本発明の別の実施形態によるハードディスクレコーダのハードディスク内の記録領域を示す図。
【図５】同レコーダのＣＰＵによるタイムシフト再生のための録画処理を示すフローチャート。
【符号の説明】
１    ハードディスクレコーダ
３    ハードディスク装置
２１    ＴＶチューナ（受信手段）
２２    信号処理部（信号変換手段）
３１    ハードディスク
６１    ＣＯＤＥＣ（信号符号手段）
６３    メインＣＰＵ（バッファ領域記録手段、終端確認手段、空き領域確認手段、バッファ領域移動手段）
【図１】
2004213831.tif 000003
【図２】
2004213831.tif 000004
【図３】
2004213831.tif 000005
【図４】
2004213831.tif 000006
【図５】
2004213831.tif 000007